(57)【特許請求の範囲】
【請求項１】
３対のマイクロホン（Ｒ１、Ｒ２、Ｒ３、Ｒ４、Ｒ５、Ｒ６）と、
３つの直交する空間軸のうちの１つの空間軸において、マイクロホンの各対を支持するための機械的支持体であって、前記３つの直交する空間軸は、２つの水平軸および１つの垂直軸を有する、前記機械的支持体と、
前記３つの直交する空間軸が互いに交差する位置に設置される第７のマイクロホン（Ｒ７）と、を含み、
前記機械的支持体は、第１の水平方向の機械軸（３１）と、第２の水平方向の機械軸（３２）と、前記第１および第２の水平方向の機械軸（３１、３２）の交点と交差する仮想の垂直軸に対して中心を外して設置される第３の垂直方向の機械軸（３３）とを含み、
前記第３の垂直方向の機械軸（３３）は、上部の水平方向のロッド（３４ａ）および下部の水平方向のロッド（３４ｂ）に固定され、前記上部の水平方向のロッド（３４ａ）および前記下部の水平方向のロッド（３４ｂ）は、前記第１の水平方向の機械軸または前記第２の水平方向の機械軸と平行であり、
前記第３の垂直の機械軸（３３）は、連結場所（３５）において、前記第７のマイクロホン（Ｒ７）の場所と、前記３対のマイクロホンのうちの１対の隣接するマイクロホン（Ｒ２）との間で、前記第１および第２の水平方向の機械軸のうちの１つに固定されることを特徴とする、マイクロホンアレイ。
【請求項２】
リスニングルームにおける前記マイクロホンアレイの位置決めのためのレーザ（３０）であって、レーザ光線が前記水平軸（３１、３２）のうちの１つと平行である又は一致するように前記機械的支持体に固定して連結される、前記レーザ、
を更に含むことを特徴とする、請求項１に記載のマイクロホンアレイ。
【請求項３】
マイクロホンの各対の前記マイクロホン間の距離が５ｃｍと８ｃｍとの間にあることを特徴とする、請求項１に記載のマイクロホンアレイ。
【請求項４】
すべてのマイクロホンは、前記マイクロホンが同じ方向に方向付けられるように、前記機械的支持体に固定された音圧マイクロホンであることを特徴とする、請求項１に記載のマイクロホンアレイ。
【請求項５】
３対のマイクロホン（Ｒ１、Ｒ２、Ｒ３、Ｒ４、Ｒ５、Ｒ６）と、
３つの直交する空間軸のうちの１つの空間軸において、マイクロホンの各対を支持するための機械的支持体であって、前記３つの直交する空間軸は、２つの水平軸および１つの垂直軸を有する、前記機械的支持体と、
リスニングルームにおける前記マイクロホンアレイの位置決めのためのレーザ（３０）であって、レーザ光線が前記水平軸（３１、３２）のうちの１つと平行である又は一致するように前記機械的支持体に固定して連結される、前記レーザと、
を含むことを特徴とする、マイクロホンアレイ。
【発明の詳細な説明】
【技術分野】
【０００１】
本発明は、リスニングエリアの異なる位置に配置されたスピーカのための音響測定、特に、リスニングエリアにおいて三次元配置で配置された多数のスピーカの効率的な測定に関する。
【背景技術】
【０００２】
図２は、ドイツのエルランゲンにあるフラウンホーファーＩＩＳのリスニングルームを示す。このリスニングルームは、リスニングテストを実行するために必要である。これらのリスニングテストは、オーディオコード体系を評価するために必要である。リスニングテストの比較可能かつ再現可能な結果を保証するために、図２に示されたリスニングルームなどの、標準化されたリスニングルームでこれらのテストを実行することが必要である。このリスニングルームは、勧告ＩＴＵ―Ｒ  ＢＳ  １１１６―１に準拠する。この部屋において、５４個という多数のスピーカが、三次元スピーカ・セットアップとして載置される。スピーカは、天井から懸吊された２層全周性のトラス、および、壁上のレール・システムに載置される。多数のスピーカは、高い適応性を供給し、そのことは、学術的な研究と現在及び将来の音響フォーマットの研究の両方のために必要である。
【０００３】
この種の多数のスピーカについて、それらが正しく動作していることやそれらが適切に接続されていることを検査することは、時間のかかる、煩わしいタスクである。一般的に、各スピーカは、スピーカボックスで個々の設定を有する。加えて、特定のオーディオ信号を特定のスピーカに移すことを可能にするオーディオマトリクス（ａｕｄｉｏ  ｍａｔｒｉｘ）が存在する。さらに、特定の支持体に固定して取り付けられたスピーカは別として、すべてのスピーカが正しい位置にあることを保証することはできない。特に、図２で床に立っているスピーカは前後にも左右にもシフトすることができて、従って、リスニングテストの始めに、すべてのスピーカがそれらがなければならない位置にあること、すべてのスピーカがそれらが有するべき個々の設定を有すること、そして、オーディオマトリクスが正しくスピーカ信号をスピーカに割り当てるために特定の状態にセットされることを保証することができない。このようなリスニングルームが複数の研究グループにより使用されることは別として、電気的および機械的な故障が時々起こりうる。
【０００４】
特に、以下の典型的な問題が生じる。これらは、以下の通りである。
●スイッチを入れられない、あるいは、接続されないスピーカ
●誤ったスピーカに送られた信号、誤ったスピーカと接続された信号ケーブル
●オーディオ・ルーティング・システムで、あるいは、スピーカで誤って調節された１つのスピーカのレベル
●オーディオ・ルーティング・システムで、あるいは、スピーカで誤って設定された等化器
●マルチウェイ・スピーカの単一のドライバの破損
●スピーカが誤って位置付けられる、方向付けられる、あるいは、物体が音響経路を妨げている。
【０００５】
通常、リスニングエリアのスピーカ・セットアップの機能を手動で評価するために、かなりの時間が必要である。この時間は、各スピーカの位置および方向を手動で検査するために必要である。加えて、各スピーカは、正しいスピーカ設定を見つけ出すために、手動で検査されなければならない。一方で信号ルーティングの電気的な機能性を、他方で個々のスピーカを検査するために、リスニングテストを行うのに非常に熟練した人が必要である。そのテストでは、一般的に、各スピーカがテスト信号によって励磁され、次に、熟練した聴取者が、彼の知識に基づいて、このスピーカが正しいかどうかを評価する。
【０００６】
この手法が非常に熟練した人が必要であるという事実のために費用がかかることは、明らかである。加えて、この手法は、すべてのスピーカの検査が、一般的に、ほとんどまたは全てのスピーカが正しい位置に置かれ、正しくセットされることを表すという事実のため、時間がかかるが、他方で、発見されない１つの又はいくつかの欠陥がリスニングテストの意義を無効にしうるので、この手法を省くことができない。最後に、たとえ熟練した人がリスニングルームの機能解析を行う場合であっても、エラーは、それどもなお除外されない。
【先行技術文献】
【非特許文献】
【０００７】
【非特許文献１】ＩＴＵ−Ｒ勧告−ＢＳ．１１１６−１、「マルチチャンネル音響システムを含むオーディオ・システムにおける微小音質劣化の主観評価の方法」、１９９７年、ＩＴＵ：スイス、ジュネーブ、ｐ．２６（ＩＴＵ−Ｒ  Ｒｅｃｏｍｍｅｎｄａｔｉｏｎ−ＢＳ．１１１６−１，“Ｍｅｔｈｏｄｓ  ｆｏｒ  ｔｈｅ  ｓｕｂｊｅｃｔｉｖｅ  ａｓｓｅｓｓｍｅｎｔ  ｏｆ  ｓｍａｌｌ  ｉｍｐａｉｒｍｅｎｔｓ  ｉｎ  ａｕｄｉｏ  ｓｙｓｔｅｍｓ  ｉｎｃｌｕｄｉｎｇ  ｍｕｌｔｉｃｈａｎｎｅｌ  ｓｏｕｎｄ  ｓｙｓｔｅｍｓ”，１９９７，Ｉｎｔｅｒｎ．Ｔｅｌｅｃｏｍ  Ｕｎｉｏｎ：Ｇｅｎｅｖａ，Ｓｗｉｔｚｅｒｌａｎｄ，ｐ．２６．）
【非特許文献２】Ａ．ジルツレら著、「フラウンホーファーＩＩＳ  オーディオ研究所の新しいスタジオ及びリスニングルームの背後にあるビジョンとテクニック」、第１２６回ＡＥＳコンベンション、ミュンヘン、ドイツ、２００９年（Ａ．Ｓｉｌｚｌｅ  ｅｔ  ａｌ．，“Ｖｉｓｉｏｎ  ａｎｄ  Ｔｅｃｈｎｉｑｕｅ  ｂｅｈｉｎｄ  ｔｈｅ  Ｎｅｗ  Ｓｔｕｄｉｏｓ  ａｎｄ  Ｌｉｓｔｅｎｉｎｇ  Ｒｏｏｍｓ  ｏｆ  ｔｈｅ  Ｆｒａｕｎｈｏｆｅｒ  ＩＩＳ  Ａｕｄｉｏ  Ｌａｂｏｒａｔｏｒｙ”，  ｐｒｅｓｅｎｔｅｄ  ａｔ  ｔｈｅ  ＡＥＳ  １２６ｔｈ  ｃｏｎｖｅｎｔｉｏｎ，Ｍｕｎｉｃｈ，Ｇｅｒｍａｎｙ，２００９．）
【非特許文献３】Ｓ．ミューラー、Ｐ．マッサラーニ著、「スイープを用いた伝達関数測定」、ＡＥＳ学会誌、第４９巻、２００１年６月（Ｓ．Ｍｕｅｌｌｅｒ，  ａｎｄ  Ｐ．Ｍａｓｓａｒａｎｉ，“Ｔｒａｎｓｆｅｒ−Ｆｕｎｃｔｉｏｎ  Ｍｅａｓｕｒｅｍｅｎｔ  ｗｉｔｈ  Ｓｗｅｅｐｓ”，Ｊ．Ａｕｄｉｏ  Ｅｎｇ．Ｓｏｃ．，ｖｏｌ．４９（２００１  Ｊｕｎｅ）．）
【非特許文献４】音響測定技術、Ｍ．Ｍｓｅｒ編、２０１０年、ベルリン、ハイデルベルク、シュプリンガー（Ｍｅｓｓｔｅｃｈｎｉｋ  ｄｅｒ  Ａｋｕｓｔｉｋ，  ｅｄ．  Ｍ．  Ｍｓｅｒ．２０１０，Ｂｅｒｌｉｎ，Ｈｅｉｄｅｌｂｅｒｇ：Ｓｐｒｉｎｇｅｒ．）
【非特許文献５】Ｖ．プルキ、「方向オーディオ符号化を用いた空間音響再生」、ＡＥＳ学会誌、第５５巻、第６号、ｐｐ．５０３−５１６、２００７年（Ｖ．Ｐｕｌｋｋｉ，“Ｓｐａｔｉａｌ  ｓｏｕｎｄ  ｒｅｐｒｏｄｕｃｔｉｏｎ  ｗｉｔｈ  ｄｉｒｅｃｔｉｏｎａｌ  ａｕｄｉｏ  ｃｏｄｉｎｇ”，  Ｊｏｕｒｎａｌ  ｏｆ  ｔｈｅ  ＡＥＳ，ｖｏｌ．５５，ｎｏ．６，ｐｐ．５０３−５１６，２００７．）
【非特許文献６】Ｏ．ティールガルト、Ｒ．シュルツ−アムリン、Ｇ．デル  ガルド、Ｄ．マーネ、Ｆ．キュッヒ著、「方向オーディオ符号化パラメータに基づいた反響する環境における音源定位」、第１２７回ＡＥＳコンベンション、ニューヨーク、ＵＳＡ、２００９年１０月９〜１２日（Ｏ．Ｔｈｉｅｒｇａｒｔ，Ｒ．Ｓｃｈｕｌｔｚ−Ａｍｌｉｎｇ，Ｇ．Ｄｅｌ  Ｇａｌｄｏ，Ｄ．Ｍａｈｎｅ，  ａｎｄ  Ｆ．Ｋｕｅｃｈ，“Ｌｏｃａｌｉｚａｔｉｏｎ  ｏｆ  Ｓｏｕｎｄ  Ｓｏｕｒｃｅｓ  ｉｎ  Ｒｅｖｅｒｂｅｒａｎｔ  Ｅｎｖｉｒｏｎｍｅｎｔｓ  Ｂａｓｅｄ  ｏｎ  Ｄｉｒｅｃｔｉｏｎａｌ  Ａｕｄｉｏ  Ｃｏｄｉｎｇ  Ｐａｒａｍｅｔｅｒｓ”，  ｐｒｅｓｅｎｔｅｄ  ａｔ  ｔｈｅ  ＡＥＳ  １２７ｔｈ  ｃｏｎｖｅｎｔｉｏｎ，  Ｎｅｗ  Ｙｏｒｋ，  ＮＹ，  ＵＳＡ，  ２００９  Ｏｃｔｏｂｅｒ  ９−１２．）
【非特許文献７】Ｊ．メリマー、Ｔ．ロッキ、Ｔ．ペルトネン、Ｍ．カルヤライネン著、「方向室内応答の測定、解析及び視覚化」、第１１１回ＡＥＳコンベンション、ニューヨーク、ニューヨーク州、アメリカ、２００１年９月２１〜２４日（Ｊ．Ｍｅｒｉｍａａ，  Ｔ．Ｌｏｋｋｉ，  Ｔ．Ｐｅｌｔｏｎｅｎ  ａｎｄ  Ｍ．Ｋａｒｊａｌａｉｎｅｎ，“Ｍｅａｓｕｒｅｍｅｎｔ，  Ａｎａｌｙｓｉｓ，  ａｎｄ  Ｖｉｓｕａｌｉｚａｔｉｏｎ  ｏｆ  Ｄｉｒｅｃｔｉｏｎａｌ  Ｒｏｏｍ  Ｒｅｓｐｏｎｓｅｓ，”  ｐｒｅｓｅｎｔｅｄ  ａｔ  ｔｈｅ  ＡＥＳ  １１１ｔｈ  ｃｏｎｖｅｎｔｉｏｎ，  Ｎｅｗ  Ｙｏｒｋ，  ＮＹ，  ＵＳＡ，２００１  Ｓｅｐｔｅｍｂｅｒ  ２１−２４．）
【非特許文献８】Ｇ．デル  ガルド、Ｏ．ティールガルト、Ｆ．キュッヒ著、「方向オーディオ符号化のためのネスト化マイクロホンアレイ処理」、オーディオ及び音響学への信号処理の応用に関するＩＥＥＥワークショップの学会誌（ＷＡＳＰＡＡ）、ニューパルツ、ニューヨーク州、２００９年１０月（Ｇ．Ｄｅｌ  Ｇａｌｄｏ，  Ｏ．Ｔｈｉｅｒｇａｒｔ，  ａｎｄ  Ｆ．Ｋｅｕｃｈ，“Ｎｅｓｔｅｄ  ｍｉｃｒｏｐｈｏｎｅ  ａｒｒａｙ  ｐｒｏｃｅｓｓｉｎｇ  ｆｏｒ  ｐａｒａｍｅｔｅｒ  ｅｓｔｉｍａｔｉｏｎ  ｉｎ  ｄｉｒｅｃｔｉｏｎａｌ  ａｕｄｉｏ  ｃｏｄｉｎｇ”，  ｉｎ  Ｐｒｏｃ．  ＩＥＥＥ  Ｗｏｒｋｓｈｏｐ  ｏｎ  Ａｐｐｌｉｃａｔｉｏｎｓ  ｏｆ  Ｓｉｇｎａｌ  Ｐｒｏｃｅｓｓｉｎｇ  ｔｏ  Ａｕｄｉｏ  ａｎｄ  Ａｃｏｕｓｔｉｃｓ  （ＷＡＳＰＡＡ），  Ｎｅｗ  Ｐａｌｔｚ，  ＮＹ，  Ｏｃｔｏｂｅｒ  ２００９，  ａｃｃｅｐｔｅｄ  ｆｏｒ  ｐｕｂｌｉｃａｔｉｏｎ．）
【非特許文献９】Ｆ．Ｊ．フェイ著、音響インテンシティ、エセックス：エルゼビア・サイエンス株式会社、１９８９年（Ｆ．Ｊ．Ｆａｈｙ，  Ｓｏｕｎｄ  Ｉｎｔｅｎｓｉｔｙ，  Ｅｓｓｅｘ：  Ｅｌｓｅｌｖｉｅｒ  Ｓｃｉｅｎｃｅ  Ｐｕｂｌｉｓｈｅｒｓ  Ｌｔｄ．，  １９８９．）
【非特許文献１０】Ａ．ジルツレ、Ｍ．ライストナー著、「フラウンホーファーＩＩＳの新しいリスニングテストルームの室内音響特性」、第１２６回ＡＥＳコンベンション、ミュンヘン、ドイツ、２００９年（Ａ．Ｓｉｌｚｌｅ  ａｎｄ  Ｍ．Ｌｅｉｓｔｎｅｒ，“Ｒｏｏｍ  Ａｃｏｕｓｔｉｃ  Ｐｒｏｐｅｒｔｉｅｓ  ｏｆ  ｔｈｅ  Ｎｅｗ  Ｌｉｓｔｅｎｉｎｇ−Ｔｅｓｔ  Ｒｏｏｍ  ｏｆ  ｔｈｅ  Ｆｒａｕｎｈｏｆｅｒ  ＩＩＳ，”  ｐｒｅｓｅｎｔｅｄ  ａｔ  ｔｈｅ  ＡＥＳ  １２６  ｃｏｎｖｅｎｔｉｏｎ，  Ｍｕｎｉｃｈ，  Ｇｅｒｍａｎｙ，２００９．）
【非特許文献１１】ＳＴ３５０ポータブル・マイクロホン・システム、ユーザーマニュアル、“ｈｔｔｐ：／／ｗｗｗ．ｓｏｕｎｄｆｉｅｌｄ．ｃｏｍ／”（ＳＴ３５０  Ｐｏｒｔａｂｌｅ  Ｍｉｃｒｏｐｈｏｎｅ  Ｓｙｓｔｅｍ，  Ｕｓｅｒ  Ｍａｎｕａｌ．  “ｈｔｔｐ：／／ｗｗｗ．ｓｏｕｎｄｆｉｅｌｄ．ｃｏｍ／”．）
【非特許文献１２】Ｊ．アホネン、Ｖ．プルキ、Ｔ．ロッキ著、「方向オーディオ符号化のための通信会議の応用とＢフォーマット・マイクロホンアレイ」、第３０回ＡＥＳ国際学会：インテリジェントオーディオ環境、２００７年３月（Ｊ．Ａｈｏｎｅｎ，  Ｖ．Ｐｕｌｋｋｉ，  Ｔ．Ｌｏｋｋｉ，“Ｔｅｌｅｃｏｎｆｅｒｅｎｃｅ  Ａｐｐｌｉｃａｔｉｏｎ  ａｎｄ  Ｂ−Ｆｏｒｍａｔ  Ｍｉｃｒｏｐｈｏｎｅ  Ａｒｒａｙ  ｆｏｒ  Ｄｉｒｅｃｔｉｏｎａｌ  Ａｕｄｉｏ  Ｃｏｄｉｎｇ”，  ｐｒｅｓｅｎｔｅｄ  ａｔ  ｔｈｅ  ＡＥＳ  ３０ｔｈ  Ｉｎｔｅｒｎａｔｉｏｎａｌ  Ｃｏｎｆｅｒｅｎｃｅ：  Ｉｎｔｅｌｌｉｇｅｎｔ  Ａｕｄｉｏ  Ｅｎｖｉｒｏｎｍｅｎｔｓ，  Ｍａｒｃｈ  ２００７．）
【非特許文献１３】Ｍ．カリンガー、Ｆ．キュッヒ、Ｒ．シュルツ−アムリン、Ｇ．デル  ガルド、Ｊ．アホネン、Ｖ．プルキ著、「方向オーディオ符号化における応用のための平面マイクロホンアレイの解析及び調整」、第１２４回ＡＥＳコンベンション、アムステルダム、オランダ、２００８年５月１７〜２０日（Ｍ．Ｋａｌｌｉｎｇｅｒ，  Ｆ．Ｋｕｅｃｈ，  Ｒ．Ｓｃｈｕｌｔｚ−Ａｍｌｉｎｇ，  Ｇ．Ｄｅｌ  Ｇａｌｄｏ，  Ｊ．Ａｈｏｎｅｎ  ａｎｄ  Ｖ．Ｐｕｌｋｋｉ，“Ａｎａｌｙｓｉｓ  ａｎｄ  ａｄｊｕｓｔｍｅｎｔ  ｏｆ  ｐｌａｎａｒ  ｍｉｃｒｏｐｈｏｎｅ  ａｒｒａｙｓ  ｆｏｒ  ａｐｐｌｉｃａｔｉｏｎ  ｉｎ  Ｄｉｒｅｃｔｉｏｎａｌ  Ａｕｄｉｏ  Ｃｏｄｉｎｇ”，  ｐｒｅｓｅｎｔｅｄ  ａｔ  ｔｈｅ  ＡＥＳ  １２４ｔｈ  ｃｏｎｖｅｎｔｉｏｎ，  Ａｍｓｔｅｒｄａｍ，  Ｔｈｅ  Ｎｅｔｈｅｒｌａｎｄｓ，  ２００８  Ｍａｙ  １７−２０．）
【非特許文献１４】Ｈ．バルツェルト著、ソフトウェア技術の教科書（ソフトウェア開発）、１９９６年、ハイデルベルク、ベルリン、オクスフォード：スペクトルアカデミシャー出版（Ｈ．Ｂａｌｚｅｒｔ，  Ｌｅｈｒｂｕｃｈ  ｄｅｒ  Ｓｏｆｔｗａｒｅ−Ｔｅｃｈｎｉｋ  （Ｓｏｆｔｗａｒｅ−Ｅｎｔｗｉｃｋｌｕｎｇ），  １９９６，  Ｈｅｉｄｅｌｂｅｒｇ，  Ｂｅｒｌｉｎ，  Ｏｘｆｏｒｄ：  Ｓｐｅｋｔｒｕｍ  Ａｋａｄｅｍｉｓｃｈｅｒ  Ｖｅｒｌａｇ．）
【非特許文献１５】“ｈｔｔｐ：／／ｅｎ．ｗｉｋｉｐｅｄｉａ．ｏｒｇ／ｗｉｋｉ／Ｎａｓｓｉ％Ｅ２％８０％９３  Ｓｈｎｅｉｄｅｒｍａｎ  ．  ．  ．  ｄｉａｇｒａｍ”、２０１０年３月３１日アクセス（“ｈｔｔｐ：／／ｅｎ．ｗｉｋｉｐｅｄｉａ．ｏｒｇ／ｗｉｋｉ／Ｎａｓｓｉ％Ｅ２％８０％９３  Ｓｈｎｅｉｄｅｒｍａｎ  ．  ．  ．  ｄｉａｇｒａｍ”，  ａｃｃｅｓｓｅｄ  ｏｎ  Ｍａｒｃｈ，  ３１ｓｔ  ２０１０．）
【非特許文献１６】Ｒ．シュルツ−アムリン、Ｆ．キュッヒ、Ｍ．カリンガー、Ｇ．デル  ガルド、Ｊ．アホネン、Ｖ．プルキ著、「方向オーディオ符号化を用いた空間音響の解析及び再生のための平面マイクロホンアレイ処理」、第１２４回ＡＥＳコンベンション、アムステルダム、オランダ、２００８年５月（Ｒ．Ｓｃｈｕｌｔｚ−Ａｍｌｉｎｇ，  Ｆ．Ｋｕｅｃｈ，  Ｍ．Ｋａｌｌｉｎｇｅｒ，  Ｇ．Ｄｅｌ  Ｇａｌｄｏ，  Ｊ．Ａｈｏｎｅｎ，  ａｎｄ  Ｖ．Ｐｕｌｋｋｉ，“Ｐｌａｎａｒ  Ｍｉｃｒｏｐｈｏｎｅ  Ａｒｒａｙ  Ｐｒｏｃｅｓｓｉｎｇ  ｆｏｒ  ｔｈｅ  Ａｎａｌｙｓｉｓ  ａｎｄ  Ｒｅｐｒｏｄｕｃｔｉｏｎ  ｏｆ  Ｓｐａｔｉａｌ  Ａｕｄｉｏ  ｕｓｉｎｇ  Ｄｉｒｅｃｔｉｏｎａｌ  Ａｕｄｉｏ  Ｃｏｄｉｎｇ”，  ｐｒｅｓｅｎｔｅｄ  ａｔ  ｔｈｅ  １２４ｔｈ  ＡＥＳ  Ｃｏｎｖｅｎｔｉｏｎ，  Ａｍｓｔｅｒｄａｍ，  Ｔｈｅ  Ｎｅｔｈｅｒｌａｎｄｓ，  Ｍａｙ  ２００８．）
【発明の概要】
【発明が解決しようとする課題】
【０００８】
本発明の目的は、リスニングエリアの異なる位置に配置された複数のスピーカの機能を検査するための改良された手法を提供することである。
【課題を解決するための手段】
【０００９】
この目的は、以下に記載される複数のスピーカを測定する装置、複数のスピーカを測定する方法、コンピュータ・プログラムまたはマイクロホンアレイによって達成される。
【００１０】
本発明は、電気的装置を使用してリスニング空間に配置されたスピーカの機能の検査を適合させることによって、リスニングテストの効率および精度を非常に改善することができるという発見に基づく。この装置は、スピーカのためのテスト信号を発生させるためのテスト信号発生器と、複数の個々のマイクロホン信号を拾うためのマイクロホン装置と、マイクロホン装置によって記録された音響信号の集合が各スピーカと関連するように、スピーカ信号の発射を制御し、かつ、マイクロホン装置によって記録された音響信号の処理のための制御器と、スピーカごとに少なくとも１つのスピーカ特性を決定するために、スピーカごとに音響信号の集合を評価し、かつ、少なくとも１つのスピーカ特性を使用してスピーカ状態を示すための、評価器とを含む。
【００１１】
評価器が、ＯＫ状態／ＯＫでない（ｎｏｎ−ＯＫ）状態を示し、訓練されていない人がＯＫでないスピーカを個々に検査することができて、機能する状態にあることが示されたスピーカを信頼することができるので、本発明は、それが訓練されていない人によってリスニング空間に位置付けられたスピーカの検査を実行することを可能にするという点で、有利である。
【００１２】
加えて、本発明は、その個々に選択されたスピーカ特性の高い適応性を供給し、個々のスピーカのためのスピーカ状態の完全なピクチャを集めることができるように、好ましくは、いくつかのスピーカ特性を使用することができ、さらに計算することができる。これは、好ましくは順次的な方法で、各スピーカにテスト信号を供給することによって、そして、好ましくはマイクロホンアレイを使用して、スピーカ信号を記録することによってなされる。それ故、信号の到来方向を算出することができ、その結果、スピーカが三次元の方式で配置されるときでも、部屋のスピーカの位置を自動的に算出することができる。特に、後者の特徴は、好適な発明システムにより提供される高精度の観点からみて、一般的に、熟練した人によってさえ条件を満たすことができない。
【００１３】
好ましい実施形態において、マルチスピーカテストシステムは、仰角および方位角に関して±３°の許容差の範囲内の位置を正確に決定することができる。距離精度は±４ｃｍであり、各スピーカの振幅特性を、リスニングルームの個々のスピーカの±１ｄＢの精度で記録することができる。好ましくは、そのシステムは各測定を参照と比較して、許容差外で作動しているスピーカを確認することができる。
【００１４】
加えて、処理を含んでスピーカごとに１０秒ほどという妥当な測定時間のため、本発明のシステムは、多数のスピーカが測定されなければならないときでも、実際に適用できる。加えて、スピーカの方向付けは、特定の構成に限られていないが、測定概念は、任意の三次元の方式のありとあらゆるスピーカ配置に関して適用できる。
【００１５】
本発明の好ましい実施形態は、図を参照して以下に述べられる。
【図面の簡単な説明】
【００１６】
【図１】図１は、複数のスピーカを測定するための装置のブロック図を示す。
【図２】図２は、９つのメイン・スピーカと、壁および異なる高さの２つの全周性トラス上の２つのサブ・ウーファおよび４３個のスピーカのセットアップを有する典型的なリスニングテストルームを示す。
【図３】図３は、三次元のマイクロホンアレイの好ましい実施形態を示す。
【図４ａ】図４ａは、ＤｉｒＡＣプロシージャを使用して音の到来方向を決定するためのステップを示すための系統図を示す。
【図４ｂ】図４ｂは、図３のマイクロホンアレイのマイクロホンを使用して異なる方向の粒子速度信号を算出するための式を示す。
【図４ｃ】図４ｃは、中心のマイクロホンがないときに実行される、Ｂフォーマットのための全方向性の音響信号の計算を示す。
【図４ｄ】図４ｄは、三次元位置測定アルゴリズムを実行するためのステップを示す。
【図４ｅ】図４ｅは、スピーカに関する実際の空間出力密度を示す。
【図５】図５は、スピーカおよびマイクロホンのハードウェア・セットの系統図を示す。
【図６ａ】図６ａは、基準のための測定順序を示す。
【図６ｂ】図６ｂは、テストのための測定順序を示す。
【図６ｃ】図６ｃは、特定の周波数範囲で、許容差を満たされていない振幅特性の形で、典型的な測定出力を示す。
【図７】図７は、いくつかのスピーカ特性を決定するための好ましい実施態様を示す。
【図８】図８は、典型的なパルス応答および到来方向の決定を実行するための窓長を示す。
【図９】図９は、距離、到来方向およびスピーカのインパルス応答／伝達関数を測定するために必要なインパルス応答の部分の長さの関係を示す。
【発明を実施するための形態】
【００１７】
図１は、リスニング空間の異なる位置に配置された複数のスピーカを測定するための装置を示す。その装置は、スピーカのためのテスト信号を発生させるためのテスト信号発生器１０を含む。模範的に、Ｎ個のスピーカが、スピーカ出力１０ａ、…、１０ｂでテスト信号発生器と接続される。
【００１８】
加えて、その装置は、マイクロホン装置１２を含む。マイクロホン装置１２は、複数の個々のマイクロホンを有するマイクロホンアレイとして実行することができ、あるいは、順次適合されたテスト信号に対するスピーカによる順次応答が測定される異なる位置間を順次移動することができるマイクロホンとして実行することができる。というのも、マイクロホン装置は、１つまたは複数のテスト信号に応答した複数のスピーカのうちの１つのスピーカによって発射された１つまたは複数のスピーカ信号に応答して音響信号を受信するために構成されるためである。
【００１９】
加えて、制御器１４は、マイクロホン装置によって記録された音響信号の集合が１つまたは複数のテスト信号に応答して複数のスピーカの各スピーカと関連するように、複数のスピーカによるスピーカ信号の発射を制御するために、そして、マイクロホン装置によって受信された音響信号を処理するために供給される。制御器１４は、信号線１３ａ、１３ｂ、１３ｃを介してマイクロホン装置と接続される。マイクロホン装置が順次的な方法で異なる位置に移動可能なマイクロホンを１つ有するだけであるとき、１つの信号線１３ａで充分だろう。
【００２０】
加えて、測定するためのその装置は、スピーカごとに少なくとも１つのスピーカ特性を決定するために、スピーカごとに音響信号の集合を評価し、かつ、その少なくとも１つのスピーカ特性を使用して、スピーカ状態を示すための評価器１６を含む。評価器は、制御器から評価器への単方向接続でありえる、または、評価器が制御器に情報を供給するために実行されるとき、双方向接続でありえる接続線１７を介して制御器と接続される。このように、評価器は、スピーカごとに状態表示情報、すなわち、このスピーカが機能するスピーカであるか、または、欠陥のあるスピーカであるかを供給する。
【００２１】
好ましくは、制御器１４は、特定のシーケンスがスピーカごとに適用される自動測定を実行するために構成される。具体的には、制御器は、テスト信号を出力するためにテスト信号発生器を制御する。同時に、制御器は、測定サイクルが始まるとき、マイクロホン装置およびマイクロホン装置と接続された回路により受信された信号を記録する。スピーカテスト信号の測定が完了するときに、マイクロホンの各々によって受信された音響信号は、それから制御器によって処理され、例えば、テスト信号を発射している、または、より正確には、テスト中の装置であった、特定のスピーカに関連した制御器によって保存される。前に述べたように、テスト信号を受信した特定のスピーカが、実際上、テスト信号に対応する音響信号を最後に発射した実際のスピーカであるかどうかが検査されることになる。これは、好ましくは指向性マイクロホンアレイを使用してテスト信号に応答してスピーカによって発射された音響の距離または到来方向を算出することによって検査する。
【００２２】
あるいは、制御器は、いくつかのまたは全てのスピーカの測定を同時に実行することができる。この目的のために、テスト信号発生器は、異なるスピーカのための異なるテスト信号を発生させるために構成される。好ましくは、テスト信号は、少なくとも部分的に相互に直交的である。この直交性は、周波数多重で異なった重なりなしの周波数バンドを、符号多重で異なった符号を、または、その他この種の実施態様を含むことができる。評価器は、特定のタイムスロットが特定のスピーカに関連付けられる順次的な実施態様と類似して、特定のスピーカに特定の周波数バンドを、または、特定のスピーカに特定のコードを関連付けることなどによって、異なったスピーカのための異なったテスト信号を分離するために構成される。
【００２３】
このように、制御器は、音響信号の集合が、マイクロホンアレイによって音響信号の集合の受信の直前に、スピーカテスト信号を発射した特定のスピーカと関連するように、テスト信号発生器を自動的に制御して、例えば順次的な方法で、テスト信号を発生させるために、そして、順次的な方法で音響信号を受信するために、マイクロホン装置により拾われた信号を処理する。
【００２４】
オーディオ・ルーティング・システム、スピーカ、デジタル／アナログ変換器、アナログ／デジタル変換器、および三次元のマイクロホンアレイを含む完全系の系統図が、図５に示される。具体的には、図５はオーディオ・ルーティング・システム５０、テスト信号入力をスピーカにデジタル／アナログ変換するためのデジタル／アナログ変換器を示す。ここで、デジタル／アナログ変換器が５１で示される。加えて、三次元のマイクロホンアレイ１２に配置された個々のマイクロホンのアナログ出力と接続される、アナログ／デジタル変換器５２が与えられる。個々のスピーカは、５４ａ、…、５４ｂで示される。システムは、オーディオ・ルーティング・システム５０を制御するための機能を有する遠隔制御５５、および測定系のための接続されたコンピュータ５６を含むことができる。好ましい実施形態の個々の接続は、図５で示され、「ＭＡＤＩ」は、マルチチャンネル・オーディオ／デジタル・インターフェースを表し、「ＡＤＡＴ」は、アレシス・デジタル・オーディオ・テープ（Ａｌｅｓｉｓ−ｄｉｇｉｔａｌ−ａｕｄｉｏ−ｔａｐｅ）（光ケーブル・フォーマット）を表す。他の省略は、当業者に周知である。図１のテスト信号発生器１０、制御器１４、および評価器１６は、図５のコンピュータ５６に好ましくは含まれる、または、図５の遠隔の制御プロセッサ５５にも含まれうる。
【００２５】
好ましくは、測定概念は、通常、スピーカおよび制御を供給しているコンピュータで実行される。従って、全部の電気的および音響的信号処理チェーンは、リスニング位置のマイクロホン装置が測定されるまで、コンピュータからオーディオ・ルーティング・システム、スピーカにわたる。これは、この種の信号処理チェーンにおいて生じうるすべてのありうるエラーを取り込むために好ましい。デジタル／アナログ変換器５１からアナログ／デジタル変換器５２への単一の接続５７は、スピーカとマイクロホン装置との間の音響の遅延を測定するために使用されて、図１の評価器１６に図７で示された基準信号Ｘを供給するために使用されうる。その結果、伝達関数または、代わりに、選択されたスピーカから各マイクロホンへのインパルス応答は当技術分野で周知のように畳み込み演算によって算出されうる。具体的には、図７は、図１に示された装置によって実行されたステップ７０を示し、そこで、マイクロホン信号Ｙが測定され、基準信号Ｘは測定され、それは図５の短絡接続５７を使用することによりなされる。その後、ステップ７１において、伝達関数Ｈは、周波数領域値の除算によって周波数領域において算出されることができる、または、インパルス応答ｈ（ｔ）は、畳み込み演算を使用して、時間領域において算出されることができる。伝達関数Ｈ（ｆ）は、すでにスピーカ特性であるが、模範的に図７で示されたような他のスピーカ特性も算出されうる。これらの他の特性は、例えば、時間領域インパルス応答ｈ（ｔ）であり、それは伝達関数の逆ＦＦＴを実行することによって算出されうる。代わりに、複素数の伝達関数のマグニチュードである振幅応答は、同様に算出されうる。加えて、周波数の関数としての位相、または、周波数に関する位相の一次微分であるグループ遅延τは、算出されうる。異なるスピーカ特性は、インパルス応答のエネルギー分布を示すエネルギー時間曲線などである。追加の重要な特性は、スピーカおよびマイクロホンの間の距離であり、ＤｉｒＡＣアルゴリズムを使用して算出され、マイクロホンの音響信号の到来方向は追加の重要なスピーカ特性である。そして、そのことは後ほど述べられる。
【００２６】
図１のシステムは、各スピーカの位置および振幅特性を測定することによって、上述の様々な問題の発生を検査する、自動マルチスピーカテストシステムを示す。すべてのこれらのエラーは、図１の評価器１６によって実行された後処理ステップによって検出可能である。この目的のために、評価器が、図３で示された三次元のマイクロホンアレイから個々の音圧マイクロホンによって記録されたマイクロホン信号から室内インパルス応答を算出することが好ましい。
【００２７】
好ましくは、１つの対数的サインスイープが、テスト信号として使用される。ここで、このテスト信号はテスト中の各スピーカによって個々に再生される。この対数的サインスイープは、図１のテスト信号発生器１０によって発生され、好ましくは考慮されたスピーカごとに等しい。全てのエラーに関してチェックするためのこの１つのテスト信号の使用は、そのことが、処理を含んでスピーカごとに約１０秒までに全テスト時間を有意に減少させるので、特に利点がある。
【００２８】
好ましくは、インパルス応答測定は、そのテスト信号が、低周波に関してもより良いＳＮ比、高周波においてそれほど大きくないエネルギー（高音用スピーカが信号に破損を与えない）、より良い波高率（ｃｒｅｓｔ  ｆａｃｔｏｒ）、および小さい非線形性に関して重要でない挙動に関する実際の音響測定において最適であるので、対数的サインスイープが使用される図７に関連して述べられるように形成される。
【００２９】
あるいは、最長系列（ｍａｘｉｍｕｍ  ｌｅｎｇｔｈ  ｓｅｑｕｅｎｃｅ）（ＭＬＳ）も使用できるが、対数的サインスイープが、波高率および非線形性に対する挙動のため、好ましい。加えて、高周波における大量のエネルギーは、スピーカに損傷を与えるかもしれず、そのこともまた、この信号が高周波においてより小さいエネルギーを有するので、対数的サインスイープに有利である。
【００３０】
図４ａ〜図４ｅは、到来方向の推定の好ましい実施態様を示すために後述される。但し、ＤｉｒＡＣは別として、他の到来方向アルゴリズムも同様に使用されうる。図４ａは、７つのマイクロホン、処理ブロック４０およびＤｉｒＡＣブロック４２を有するマイクロホンアレイ１２を図式的に示す。具体的には、ブロック４０は、各マイクロホン信号の短時間フーリエ解析を実行して、その後、全方向性の信号Ｗを有し、かつ、互いに直交する３つの空間方向Ｘ、Ｙ、Ｚのための３つの個々の粒子速度信号Ｘ、Ｙ、Ｚを有するＢフォーマットへの、これらの好ましくは７つのマイクロホン信号の変換を実行する。
【００３１】
方向オーディオ符号化（Ｄｉｒｅｃｔｉｏｎａｌ  ａｕｄｉｏ  ｃｏｄｉｎｇ）は、ダウンミックス信号および補助情報、すなわち到来方向（ｄｉｒｅｃｔｉｏｎ  ｏｆ  ａｒｒｉｖａｌ）（ＤＯＡ）および音場の拡散度（ｄｉｆｆｕｎｅｓｓ  ｏｆ  ｔｈｅ  ｓｏｕｎｄ  ｆｉｅｌｄ）に基づいて空間音響を取り込んで、再生する効率的なテクニックである。ＤｉｒＡＣは、離散短時間フーリエ変換（ＳＴＦＴ）領域において機能する。そして、それは信号の時間的スペクトル表示を供給する。図４ａは、ＤｉｒＡＣ解析を用いてＤＯＡを得るための主ステップを示す。通常、ＤｉｒＡＣは、入力としてＢフォーマット信号を必要とする。そして、それは空間の１点において測定された音圧および粒子速度ベクトルから成る。アクティブ・インテンシティ（ａｃｔｉｖｅ  ｉｎｔｅｎｓｉｔｙ）ベクトルを算出することは、この情報から可能である。このベクトルは、測定位置の音場を特徴づけているエネルギーの正味流量の方向およびマグニチュードを示す。音響のＤＯＡは、その方向の反対をとることによってインテンシティ・ベクトルから得られ、例えば、標準球面座標系の方位角および仰角によって表される。当然、他の座標系は、同様に適用されうる。必要なＢフォーマット信号は、図３において示された７つのマイクロホンから成る三次元のマイクロホンアレイを使用して得られる。ＤｉｒＡＣ処理のための圧信号は、図３の中心マイクロホンＲ７によって取り込まれるが、粒子速度ベクトルの成分は、３つの座標軸に沿った向かい合ったセンサ間の圧差から推定される。具体的には、図４ｂは、３つの成分Ｕｘ、Ｕｙ、およびＵｚを有する音響速度ベクトルＵ（ｋ，ｎ）を算出するための式を示す。
【００３２】
模範的に、変数Ｐ１は、図３のマイクロホンＲ１の圧信号を表し、例えば、Ｐ３は、図３のマイクロホンＲ３の圧信号を表す。類似して、図４ｂの他のインデックスは、図３の対応数に対応する。ｋは周波数インデックスを示し、ｎは時間ブロックインデックスを示す。すべての量は、空間の同じ位置において測定される。粒子速度ベクトルは、２つ以上の次元に沿って測定される。Ｂフォーマット信号の音圧Ｐ（ｋ，ｎ）に関して、中心のマイクロホンＲ７の出力が使用される。あるいは、中心のマイクロホンが利用できない場合、図４ｃに示されたように、Ｐ（ｋ，ｎ）は、利用できるセンサの出力を結合することによって推定されうる。同式はまた二次元および一次元の場合に関しても効力を有する点に留意する必要がある。これらの場合、図４ｂの速度成分は、考慮された次元のために算出されるだけである。Ｂフォーマット信号が正確に同一の方法で時間領域において割り出されうる点に更に留意されたい。この場合、すべての周波数領域信号は、対応する時間領域信号によって置換される。マイクロホンアレイを有するＢフォーマット信号を決定するという他の可能性は、粒子速度成分を得るために方向センサを使用することである。実際に、各粒子速度成分は、双指向性マイクロホン（いわゆる８の字マイクロホン）を用いて、直接測定されうる。この場合、図３の向かい合ったセンサの各対は、考慮された軸に沿って向いている双指向性センサに取って代わられる。双指向性センサの出力は、直接所望の速度成分に対応する。
【００３３】
図４ｄは、一方で方位角、一方で仰角の形で、ＤＯＡを実行するための一連のステップを示す。第１のステップにおいて、マイクロホンの各々のためのインパルス応答を算出するためのインパルス応答測定は、ステップ４３において実行される。最大値が８０で示される図８に模範的に示されるように、各インパルス応答の最大値で窓関数処理（ｗｉｎｄｏｗｉｎｇ）が次に実行される。窓を掛けた（ｗｉｎｄｏｗｅｄ）サンプルは、次に図４ｄのブロック４５で、周波数領域に変換される。周波数領域において、ＤｉｒＡＣアルゴリズムは、例えば、２０個の周波数ビンまたはそれ以上の周波数ビンの各周波数ビンにおいてＤＯＡを算出するために実行される。初期反射（ｅａｒｌｙ  ｒｅｆｌｅｃｔｉｏｎ）までの最大値８０の直接音だけが、好ましくは初期反射を除いて、使用されるように、図８のＦＦＴ５１２で示されるように、好ましくは、例えば５１２サンプルだけのほんの短い窓長が、実行される。この手法は、より良いＤＯＡ結果を供給する。というのも、残響のない個々の位置からの音響だけが使用されるからである。
【００３４】
４６に示されるように、決定されたＤＯＡごとに、測定された音響エネルギーを表すいわゆる空間出力密度（ｓｐａｔｉａｌ  ｐｏｗｅｒ  ｄｅｎｓｉｔｙ）（ＳＰＤ）は、それから算出される。
【００３５】
図４ｅは、０°に等しい仰角および方位角に関するスピーカ位置のための測定されたＳＰＤを示す。ＳＰＤは、測定されたエネルギーのほとんどが、スピーカ位置に対応する角度の周辺に集中されることを示す。理想的なシナリオ、すなわちマイクロホン雑音がない所では、スピーカ位置を得るためにＳＰＤの最大値を決定することは十分であるだろう。しかしながら、実際の応用では、ＳＰＤの最大値が、測定最大誤差のため正しいスピーカ位置に必ずしも対応するというわけではない。従って、ＤＯＡごとに、平均ゼロの白色ガウス型分布マイクロホン雑音を仮定している理論的なＳＰＤが、シミュレートされる。理論的なＳＰＤを（模範的には、図４ｅで示される）測定されたＳＰＤと比較することによって、対応するＤＯＡが最も見込みのあるスピーカ位置を示す、最も適した理論的なＳＰＤが決定される。
【００３６】
好ましくは、反響しない環境で、ＳＰＤは、特定の方位角／仰角を有する時間／周波数ビンに関するダウンミックスオーディオ信号出力によって算出される。この手法が反響する環境において実行されるときに、または、初期反射が同様に使用されるときに、長期の空間出力密度は、時間／周波数ビンに関するダウンミックスオーディオ信号出力から算出される。そのために、ＤｉｒＡＣアルゴリズムによって得られた拡散度は、特定の閾値以下である。この手法は、２００９年１０月９日、ＡＥＳ学会誌７８５３、Ｏ．ティールガルトらの「方向オーディオ符号化パラメータに基づいた反響する環境における音源定位」で詳しく説明される。
【００３７】
図３は、３対のマイクロホンを有するマイクロホンアレイを示す。第１の対は、第１の水平軸のマイクロホンＲ１およびＲ３である。マイクロホンの第２の対は、第２の水平軸のマイクロホンＲ２とＲ４からなる。マイクロホンの第３の対は、２つの直交の水平軸に直交である垂直軸を示しているマイクロホンＲ５およびＲ６からなる。
【００３８】
加えて、マイクロホンアレイは、３つの直交の空間軸のうちの１つの対応する空間軸でマイクロホンの各対を支持するための機械的支持体からなる。加えて、マイクロホンアレイは、リスニング空間のマイクロホンアレイの位置決めのためのレーザ３０を含み、レーザ光線が水平軸のうちの１つと平行または一致するように、レーザが機械的支持体と固定して連結される。
【００３９】
マイクロホンアレイは、好ましくは、付加的に、３つの軸が互いに交差する位置に位置付けられた第７のマイクロホンＲ７を含む。図３に示したように、機械的支持体は、第１の機械的な軸３１および第２の水平軸３２および第３の垂直軸３３を含む。第３の水平軸３３は、マイクロホンＲ５およびマイクロホンＲ６とのコネクションによって形成された「仮想」垂直軸に関して、中心に位置付けられる。第３の機械的な軸３３は、ロッドが水平軸３１および３２と平行である上部の水平ロッド３４ａおよび下部の水平ロッド３４ｂに固定される。好ましくは、第３の軸３３は、水平軸のうちの１つに固定されて、特に、接続点３５の水平軸３２に固定される。接続点３５は、第７のマイクロホンＲ７および隣接したマイクロホン、例えば３対のマイクロホンのうちの１対のマイクロホンであるマイクロホンＲ２などに関する受信間に位置づけられる。好ましくは、マイクロホンの各対のマイクロホン間の距離は、４ｃｍと１０ｃｍの間、あるいは、より好ましくは、５ｃｍと８ｃｍの間で、最も好ましくは、６．６ｃｍである。この距離は、３つの対の各々に関して等しくありえるが、これは必要条件ではない。かなり小さいマイクロホンＲ１〜Ｒ７が使用され、細い取付け物が音響の透明性を確実にするために必要である。結果の再現性を供給するために、一つのマイクロホン、および、全体のアレイの精密な位置決めが必要である。後者の要件は、固定されたクロス・レーザ・ポインタ３０を使用することによって満たされるが、前者の要件は安定した取付け物で達成される。正確な室内インパルス応答測定を得るために、平坦振幅応答によって特徴づけられるマイクロホンが好ましい。さらに、結果の再現性を提供するために、異なるマイクロホンの振幅特性は整合されるべきであり、時間において有意に変化するべきではない。アレイにおいて配置されたマイクロホンは、高品質全指向性マイクロホンＤＰＡ  ４０６０である。この種のマイクロホンは、Ａ特性重み付けの一般的２６ｄＢＡ、基準２０μＰａおよび９７ｄＢのダイナミックレンジの等価雑音レベルを有する。２０Ｈｚと２０ｋＨｚとの間の周波数範囲は、名目上の曲線から２ｄＢの間にある。取付け物は、真鍮で実現され、それは必要な機械的な剛性と、同時に、拡散の欠如を確実にする。双指向性８の字マイクロホンと比較した図３のアレイの全指向性音圧マイクロホンの使用は、個々の全指向性マイクロホンが、高価な双指向性マイクロホンと比較してかなり安価であるという点で、好ましい。
【００４０】
測定系は、特に基準条件に対するシステムの変化を検出するために示される。従って、図６ａに示したように、基準測定がまず実行される。図６ａおよび図６ｂの手順は、図１において示される制御器１４によって実行される。図６ａは、サインスイープが再生され、７つのマイクロホン信号が６１で記録される６０でスピーカごとの測定を示す。停止６２が次に行なわれ、その後、測定は、解析され６３、保存される６４。基準測定のために、すべてのスピーカが正しく調整されて、正しい位置にあるという点の手動の検査の後に、基準測定が実行される。これらの基準測定は、ただ一回だけ実行される必要があり、何度も使用することができる。
【００４１】
テスト測定は、好ましくは、各リスニングテストの前に実行されなければならない。テスト測定の完全なシーケンスは、図６ｂに示される。ステップ６５において、制御器の設定値は、読み取られる。次に、ステップ６６において、各スピーカは、サインスイープを再生することによって、そして、７つのマイクロホン信号を記録することによって測定され、その後、停止する。その後、ステップ６７において、測定解析は実行され、そして、ステップ６８において、結果は基準測定と比較される。次に、ステップ６９において、測定された結果が許容差範囲内にあるかどうかが決定される。ステップ７３において、結果の視覚的表示を実行することができ、ステップ７４において、その結果を保存することができる。
【００４２】
図６ｃは、図６ｂのステップ７３による結果の視覚的表示のための例を示す。許容差チェックは、基準測定のまわりに上下限を設定することによって実現される。許容値は、測定の初めのパラメータとして定義される。図６ｃは、振幅特性に関して測定出力を視覚化する。曲線３は基準測定の上限であり、曲線５は下限である。曲線４は、現在の測定である。この例において、範囲中央の周波数の誤差が示され、それは７５で赤いマーカーでグラフィカル・ユーザー・インターフェイス（ＧＵＩ）において視覚化される。下限のこの侵害は、フィールド２にも示される。同じように、方位角、仰角、距離および極性に関する結果は、グラフィカル・ユーザー・インターフェイスに示される。
【００４３】
続いて、複数のスピーカを測定する際にスピーカごとに算出される３つの好ましい主なスピーカ特性を示すために、図９について説明する。第１のスピーカ特性は、距離である。距離は、マイクロホンＲ７によって発生したマイクロホン信号を使用して算出される。この目的のために、図１の制御器１４は、基準信号Ｘの測定および中心のマイクロホンＲ７のマイクロホン信号Ｙを制御する。次に、ステップ７１で概説されるように、マイクロホン信号Ｒ７の伝達関数が算出される。この計算において、ステップ７１において算出されたインパルス応答の図８の８０などの最大値のサーチが実行される。その後、最大値８０が生じるこの時間は、対応するスピーカとマイクロホンアレイとの間の距離を得るために、音響速度ｖによって乗算される。
【００４４】
この目的のために、マイクロホンＲ７の信号から得られたインパルス応答の短い部分だけが必要であり、それは図９の「第１の長さ」として示される。この第１の長さは、０から最大値８０の時間まで及ぶのみであり、この最大値を含むが、初期反射または拡散残響を含まない。あるいは、他の同期もテスト信号とマイクロホンからの応答との間で実行することができるが、マイクロホンＲ７のマイクロホン信号から算出されたインパルス応答の第１の小部分を使用することは、効率および精度のため好ましい。
【００４５】
次に、ＤＯＡ測定のために、全７つのマイクロホンのためのインパルス応答が算出されるが、第１の長さより長いインパルス応答の第２の長さだけが、使用されて、この第２の長さは、好ましくは、初期反射まで及ぶだけであり、好ましくは、初期反射を含まない。あるいは、例えば窓形状８１によって図８に示されるように、初期反射は、窓関数のサイド部分で決定された減衰した状態の第２の長さに含まれる。サイド部分は、１．０に近づく窓の中央の部分の窓係数と比較して、０．５より小さい、または、さらに０．３より小さい窓係数を有する。ステップ７０、７１によって示されるように、個々のマイクロホンＲ１〜Ｒ７のためのインパルス応答は、好ましくは算出される。
【００４６】
好ましくは、窓は、各インパルス応答またはインパルス応答とは異なるマイクロホン信号に適用される。ここで、窓の中心、または窓の中心を中心として窓長の５０パーセントの範囲内の窓の１点は、音響信号ごとに窓を掛けたフレームを得るために、各インパルス応答の最大値またはその最大値に対応するマイクロホン信号の時間に位置づけられる。
【００４７】
スピーカごとの第３の特性は、マイクロホンＲ５のマイクロホン信号を使用して算出される。というのも、このマイクロホンは、図３で示されたマイクロホンアレイの機械的支持体によってそれほど影響を受けないからである。インパルス応答の第３の長さは、第２の長さより長くて、好ましくは、初期反射だけでなく、拡散反射も含み、リスニング空間のすべての反射を有するために、０．２ミリ秒など相当な時間にわたって及ぶ。当然、部屋が全く反響しない部屋であるとき、マイクロホンＲ５のインパルス応答は、かなり０に近いだろう。しかし、いずれにせよ、図９の下部で示されるように、距離測定のためには、短長のインパルス応答を使用すること、ＤＯＡ測定のためには、中程度の第２の長さを使用すること、および、スピーカ・インパルス応答／伝達関数を測定するためには長い長さを使用することが、好ましい。
【００４８】
いくつかの態様が装置に関連して説明されたにもかかわらず、これらの態様が対応する方法の記載を示すことも明らかである。ここで、ブロックまたは装置は方法ステップまたは方法ステップの機能に対応する。類似して、方法ステップに関連して説明された態様は、対応するブロックまたは項目の記載または対応する装置の機能を示す。
【００４９】
特定の実現要求に応じて、本発明の実施形態は、ハードウェアにおいて、または、ソフトウェアにおいて実行することができる。実施態様は、各方法が実行されるように、プログラミング可能な計算機システムと協動する（または協動することができる）、そこに格納された電子的に読み込み可能な制御信号を有する、デジタル記憶媒体、例えばフロッピー（登録商標）ディスク、ＤＶＤ、ＣＤ、ＲＯＭ、ＰＲＯＭ、ＥＰＲＯＭ、ＥＥＰＲＯＭまたはＦＬＡＳＨメモリを使用して実行することができる。
【００５０】
本発明によるいくつかの実施形態は、本願明細書において説明された方法のうちの１つが実行されるように、プログラミング可能な計算機システムと協動することができる電子的に読み込み可能な制御信号を有するデータキャリアを含む。
【００５１】
通常、本発明の実施形態は、コンピュータ・プログラム製品がコンピュータ上で動作するときに、プログラムコードがその方法のうちの１つを実行するために機能するプログラムコードを有するコンピュータ・プログラム製品として実行することができる。プログラムコードは、例えば機械読み取り可能なキャリアに格納されることができる。
【００５２】
他の実施形態は、機械読み取り可能なキャリアに格納され、本願明細書において説明された方法のうちの１つを実行するためのコンピュータ・プログラムを含む。
【００５３】
換言すれば、発明の方法の実施形態は、従って、コンピュータ・プログラムがコンピュータ上で動作するときに、本願明細書において説明された方法のうちの１つを実行するためのプログラムコードを有するコンピュータ・プログラムである。
【００５４】
従って、本発明の方法の更なる実施形態は、そこに記録されて、本願明細書に説明された方法のうちの１つを実行するためのコンピュータ・プログラムを含んでいるデータキャリア（またはデジタル記憶媒体またはコンピュータ可能な媒体）である。
【００５５】
従って、本発明の方法の更なる実施形態は、本願明細書において説明された方法のうちの１つを実行するためのコンピュータ・プログラムを示しているデータ・ストリームまたは信号のシーケンスである。データ・ストリームまたは信号のシーケンスは、例えば、データ通信接続を介して、例えばインターネットを介して転送されるように構成されることができる。
【００５６】
更なる実施形態は、本願明細書において説明された方法のうちの１つを実行するために構成されたまたは適合された、処理手段、例えばコンピュータまたはプログラム可能な論理回路を含む。
【００５７】
更なる実施形態は、本願明細書において説明された方法のうちの１つを実行するためのコンピュータ・プログラムをそこにインストールしているコンピュータを含む。
【００５８】
いくつかの実施形態では、プログラム可能な論理回路、例えば論理プログラミング可能デバイスは、本願明細書において説明された方法の機能のいくつかまたは全てを実行するために使用されうる。いくつかの実施形態では、論理プログラミング可能デバイスは、本願明細書において説明された方法のうちの１つを実行するために、マイクロプロセッサと協動することができる。通常、方法は、好ましくは、ハードウェア装置によって実行される。
【００５９】
上記実施形態は、本発明の原理のために、単に図示しているだけである。装置および本願明細書において説明された詳細の修正変更が他の当業者にとって明らかであるものと理解される。従って、間近に迫った特許クレームの範囲のみによって制限され、本願明細書において実施形態の記載および説明として示された具体的な詳細によっては制限されないという意図である。
【００６０】
「参考文献」
ＩＴＵ−Ｒ勧告−ＢＳ．１１１６−１、「マルチチャンネル音響システムを含むオーディオ・システムにおける微小音質劣化の主観評価の方法」、１９９７年、ＩＴＵ：スイス、ジュネーブ、ｐ．２６
Ａ．ジルツレら著、「フラウンホーファーＩＩＳ  オーディオ研究所の新しいスタジオ及びリスニングルームの背後にあるビジョンとテクニック」、第１２６回ＡＥＳコンベンション、ミュンヘン、ドイツ、２００９年
Ｓ．ミューラー、Ｐ．マッサラーニ著、「スイープを用いた伝達関数測定」、ＡＥＳ学会誌、第４９巻、２００１年６月
音響測定技術、Ｍ．Ｍｓｅｒ編、２０１０年、ベルリン、ハイデルベルク、シュプリンガー
Ｖ．プルキ、「方向オーディオ符号化を用いた空間音響再生」、ＡＥＳ学会誌、第５５巻、第６号、ｐｐ．５０３−５１６、２００７年
Ｏ．ティールガルト、Ｒ．シュルツ−アムリン、Ｇ．デル  ガルド、Ｄ．マーネ、Ｆ．キュッヒ著、「方向オーディオ符号化パラメータに基づいた反響する環境における音源定位」、第１２７回ＡＥＳコンベンション、ニューヨーク、ＵＳＡ、２００９年１０月９〜１２日
Ｊ．メリマー、Ｔ．ロッキ、Ｔ．ペルトネン、Ｍ．カルヤライネン著、「方向室内応答の測定、解析及び視覚化」、第１１１回ＡＥＳコンベンション、ニューヨーク、ニューヨーク州、アメリカ、２００１年９月２１〜２４日
Ｇ．デル  ガルド、Ｏ．ティールガルト、Ｆ．キュッヒ著、「方向オーディオ符号化のためのネスト化マイクロホンアレイ処理」、オーディオ及び音響学への信号処理の応用に関するＩＥＥＥワークショップの学会誌（ＷＡＳＰＡＡ）、ニューパルツ、ニューヨーク州、２００９年１０月
Ｆ．Ｊ．フェイ著、音響インテンシティ、エセックス：エルゼビア・サイエンス株式会社、１９８９年
Ａ．ジルツレ、Ｍ．ライストナー著、「フラウンホーファーＩＩＳの新しいリスニングテストルームの室内音響特性」、第１２６回ＡＥＳコンベンション、ミュンヘン、ドイツ、２００９年
ＳＴ３５０ポータブル・マイクロホン・システム、ユーザーマニュアル、“ｈｔｔｐ：／／ｗｗｗ．ｓｏｕｎｄｆｉｅｌｄ．ｃｏｍ／”
Ｊ．アホネン、Ｖ．プルキ、Ｔ．ロッキ著、「方向オーディオ符号化のための通信会議の応用とＢフォーマット・マイクロホンアレイ」、第３０回ＡＥＳ国際学会：インテリジェントオーディオ環境、２００７年３月
Ｍ．カリンガー、Ｆ．キュッヒ、Ｒ．シュルツ−アムリン、Ｇ．デル  ガルド、Ｊ．アホネン、Ｖ．プルキ著、「方向オーディオ符号化における応用のための平面マイクロホンアレイの解析及び調整」、第１２４回ＡＥＳコンベンション、アムステルダム、オランダ、２００８年５月１７〜２０日
Ｈ．バルツェルト著、ソフトウェア技術の教科書（ソフトウェア開発）、１９９６年、ハイデルベルク、ベルリン、オクスフォード：スペクトルアカデミシャー出版
“ｈｔｔｐ：／／ｅｎ．ｗｉｋｉｐｅｄｉａ．ｏｒｇ／ｗｉｋｉ／Ｎａｓｓｉ％Ｅ２％８０％９３  Ｓｈｎｅｉｄｅｒｍａｎ  ．  ．  ．  ｄｉａｇｒａｍ”、２０１０年３月３１日アクセス
Ｒ．シュルツ−アムリン、Ｆ．キュッヒ、Ｍ．カリンガー、Ｇ．デル  ガルド、Ｊ．アホネン、Ｖ．プルキ著、「方向オーディオ符号化を用いた空間音響の解析及び再生のための平面マイクロホンアレイ処理」、第１２４回ＡＥＳコンベンション、アムステルダム、オランダ、２００８年５月
【図１】
0005997238.tif 000002
【図４ａ】
0005997238.tif 000003
【図４ｂ】
0005997238.tif 000004
【図４ｃ】
0005997238.tif 000005
【図４ｄ】
0005997238.tif 000006
【図４ｅ】
0005997238.tif 000007
【図５】
0005997238.tif 000008
【図６ａ】
0005997238.tif 000009
【図６ｂ】
0005997238.tif 000010
【図６ｃ】
0005997238.tif 000011
【図７】
0005997238.tif 000012
【図８】
0005997238.tif 000013
【図９】
0005997238.tif 000014
【図２】
0005997238.tif 000015
【図３】
0005997238.tif 000016